(57)【要約】【課題】平板状の段ボール板を加工して段ボール箱を製造する方法において、罫線の周辺で折り曲げ不良の発生を防止して見映えを向上させる。【解決手段】上下の対向する位置に設けた第１罫線ロール３と、第２罫線ロール４との間に段ボール板を通過させ、第２罫線ロール４によって支持しながら第１罫線ロール３によって段ボール板１に罫線圧を加えて折り曲げ用の罫線を形成する。罫線の両側に罫線に加える主罫線圧よりも小さい予備罫線圧を同時に加える。【選択図】図１
2008207343.tif 000002
【特許請求の範囲】
【請求項１】
平板状の段ボール板を加工して段ボール箱を製造する方法において、
上下の対向する位置に設けた第１罫線ロールと、第２罫線ロールとの間に段ボール板を通過させ、該第２罫線ロールによって支持しながら第１罫線ロールによって上記段ボール板に罫線圧を加えて折り曲げ用の罫線を形成する罫線入れ工程と、
上記罫線に沿って上記段ボール板を折り曲げる曲げ工程とを含み、
上記罫線入れ工程において、罫線の両側に該罫線に加える主罫線圧よりも小さい予備罫線圧を同時に加える
ことを特徴とする段ボール箱の製造方法。
【請求項２】
請求項１記載の段ボール箱の製造方法において、
上記予備罫線圧は、上記罫線に垂直な方向へ該罫線から遠ざかるほど罫線圧が小さくなるように加えられる
ことを特徴とする段ボール箱の製造方法。
【請求項３】
請求項２記載の段ボール箱の製造方法において、
上記第１罫線ロールは、
外周端に設けた主押圧部と、
該主押圧部の両側にそれぞれ形成された断面が半円形状の予備押圧部とを有する
ことを特徴とする段ボール箱の製造方法。
【請求項４】
請求項２記載の段ボール箱の製造方法において、
上記第１罫線ロールは、
外周端に設けた主押圧部と、
該主押圧部の両側にそれぞれ形成された断面が上記第２罫線ロールから離れるにつれて外側へ徐々に広がる階段状の予備押圧部とを有する
ことを特徴とする段ボール箱の製造方法。
【請求項５】
請求項２記載の段ボール箱の製造方法において、
上記第１罫線ロールは、
外周端に設けた主押圧部と、
該主押圧部の両側にそれぞれ形成された断面が上記第２罫線ロールから離れるにつれて外側へ徐々に広がるテーパー状の予備押圧部とを有する
ことを特徴とする段ボール箱の製造方法。
【請求項６】
請求項１乃至５のいずれか１つに記載の段ボール箱の製造方法において、
上記予備押圧部は、コルクで形成されている
ことを特徴とする段ボール箱の製造方法。
【請求項７】
請求項１乃至５のいずれか１つに記載の段ボール箱の製造方法において、
上記予備押圧部は、ゴムで形成されている
ことを特徴とする段ボール箱の製造方法。
【請求項８】
請求項１乃至７のいずれか１つに記載の段ボール箱の製造方法において、
上記段ボール板を裁断する工程と、
上記段ボール箱のフラップ部の溝を切り、接合部の継ぎしろの角を切る工程と、
抜型で打ち抜く工程と、
上記段ボール板の表面に装飾を印刷する工程とを含む
ことを特徴とする段ボール箱の製造方法。
【請求項９】
平板状の段ボール板を加工して段ボール箱を製造する段ボール箱製造装置において、
第１罫線ロールと、
上記第１罫線ロールの上下の対向する位置に配置された第２罫線ロールとを備え、
上記第１罫線ロールと第２罫線ロールとの間に上記段ボール板を通過させ、該第２罫線ロールによって支持しながら第１罫線ロールによって上記段ボール板に罫線圧を加えて折り曲げ用の罫線を形成するように構成され、
上記第１罫線ロールは、
外周端に設けられ、主罫線圧を加えて上記罫線を形成する主押圧部と、
該主押圧部の両側にそれぞれ形成され、上記罫線の両側に該罫線に加える主罫線圧よりも小さい予備罫線圧を同時に加える予備押圧部とを有する
ことを特徴とする段ボール箱製造装置。
【請求項１０】
請求項９記載の段ボール箱製造装置において、
上記予備罫線圧は、上記罫線に垂直な方向へ該罫線から遠ざかるほど罫線圧が小さくなるように加えられる
ことを特徴とする段ボール箱製造装置。
【請求項１１】
請求項９記載の段ボール箱製造装置において、
上記第１罫線ロールは、
外周端に設けた主押圧部と、
該主押圧部の両側にそれぞれ形成された断面が半円形状の予備押圧部とを有する
ことを特徴とする段ボール箱製造装置。
【請求項１２】
請求項９記載の段ボール箱製造装置において、
上記第１罫線ロールは、
外周端に設けた主押圧部と、
該主押圧部の両側にそれぞれ形成された断面が上記第２罫線ロールから離れるにつれて外側へ徐々に広がる階段状の予備押圧部とを有する
ことを特徴とする段ボール箱製造装置。
【請求項１３】
請求項９記載の段ボール箱製造装置において、
上記第１罫線ロールは、
外周端に設けた主押圧部と、
該主押圧部の両側にそれぞれ形成された断面が上記第２罫線ロールから離れるにつれて外側へ徐々に広がるテーパー状の予備押圧部とを有する
ことを特徴とする段ボール箱製造装置。
【請求項１４】
請求項９乃至１３のいずれか１つに記載の段ボール箱製造装置において、
上記予備押圧部は、コルクで形成されている
ことを特徴とする段ボール箱製造装置。
【請求項１５】
請求項９乃至１３のいずれか１つに記載の段ボール箱製造装置において、
上記予備押圧部は、ゴムで形成されている
ことを特徴とする段ボール箱製造装置。
【発明の詳細な説明】
【技術分野】
【０００１】
罫線に沿って曲げ加工を施される段ボール箱の製造方法及び段ボール箱製造装置に関する。
【背景技術】
【０００２】
段ボール板は、表裏のライナー間に断面波形状の中芯を有したものよりなる。従来より、曲げ加工を容易にするために、曲げ加工の前にライナーを撓ませて折り曲げる部分に罫線を加工することが知られている。段ボール箱を製造する加工方法を、工程により区分すれば、断裁（段ボールを必要な長さ、幅に切断する工程）、罫線入れ（段ボールに折り曲げ用の罫線を入れる工程）、溝切り（箱のフラップ部分の溝を切り、接合部の継ぎしろの角を切る工程）、型抜き（抜型で打ち抜く工程）、印刷（印刷する工程）、接合（接合部を接合して箱に仕上げる工程）となる。これらの工程は、加工機の種類や、段ボール箱の形状等により加工内容が異なる。
【０００３】
現在、作業効率の面から、印刷作業及び溝切り作業を、それぞれ単体の段ボール箱製造装置で加工するものは少なく、１台の機械で、印刷、罫線入れ、溝切り、継ぎしろ角切り、及び断裁加工を完了する方式が主流となっている。
【０００４】
従来より、上記罫線入れ工程として、罫線ローラと呼ばれる円盤状のローラに段ボールを通過させて罫線を加工するものが知られている。罫線を加工するローラ外周の断面形状は、単に先端が突出した標準的な形状のものしかなかった。
【０００５】
また、罫線（折線）を加工するものとして、例えば、特許文献１では、押刃が形成された上型と、前記押刃と整合する罫溝が形成された下型とで、段ボール板を押圧して、当該段ボール板に折り目を形成する方法において、１本の折り目部分の近接する複数箇所を押し刃で罫溝に押圧することによって、１本の折り目部分に複数の折線を形成し、折ったときに折り目の位置が移動せず、所定の形状の段ボール箱を正確に組むことができる段ボール板の折り目形成方法が提案されている。
【特許文献１】特開平９−７０９０４号公報
【発明の開示】
【発明が解決しようとする課題】
【０００６】
近年、段ボール板の外観にもデザイン性が求められると共に、段ボール箱に包装される商品を保護するための十分な剛性等品質的にも要求が厳しくなっている。罫線を予め設けた段ボール箱を複数積み重ねて搬送等する場合、罫線に沿って段ボール板を１８０°折り曲げることがある。このとき、段ボール板を折り曲げる前に罫線加工を行ったものであっても、罫線の周辺でライナー同士が接触してライナーが撓んで皺が発生する場合がある。この皺や、皺発生に起因する不安定な糊付け等の折り曲げ不良が発生して見映えが悪くなるという問題がある。
【０００７】
本発明は、かかる点に鑑みてなされたものであり、その目的とするところは、折り曲げ用の罫線の形成方法に工夫を加えることで、罫線の周辺で折り曲げ不良の発生を防止して見映えを向上させることにある。
【課題を解決するための手段】
【０００８】
上記目的を達成するために、本発明では、罫線の周囲を適度に凹ませて罫線に沿って１８０°折り曲げるときの折り曲げ不良を防止するようにした。
【０００９】
具体的には、第１の発明では、平板状の段ボール板を加工して段ボール箱を製造する方法を前提とし、
上記製造方法は、
上下の対向する位置に設けた第１罫線ロールと、第２罫線ロールとの間に段ボール板を通過させ、該第２罫線ロールによって支持しながら第１罫線ロールによって上記段ボール板に罫線圧を加えて折り曲げ用の罫線を形成する罫線入れ工程と、
上記罫線に沿って上記段ボール板を折り曲げる曲げ工程とを含み、
上記罫線入れ工程において、罫線の両側に該罫線に加える主罫線圧よりも小さい予備罫線圧を同時に加える構成とする。
【００１０】
すなわち、複数の段ボール板を加工して箱形状とする前の状態で納入するために罫線に沿って１８０°折り曲げて段ボール板を積み上げる場合がある。このとき、細い罫線のみが形成された場合、段ボール板を罫線に沿って１８０°折り曲げたときに角部となる段ボール板のライナー同士が互いに接触して皺が発生し易い。しかし、上記の構成によると、主罫線圧により段ボール板に罫線が形成されると共に、この罫線の両側が予備罫線圧によって凹むので、段ボール板を罫線に沿って１８０°折り曲げたときに角部のライナー同士の接触が防止され、皺が発生することはない。
【００１１】
第２の発明では、第１の発明の段ボール箱の製造方法において、
上記予備罫線圧は、上記罫線に垂直な方向へ該罫線から遠ざかるほど罫線圧が小さくなるように加えられる。
【００１２】
すなわち、罫線の周囲を凹ませすぎると、今度は、段ボール板を罫線に沿って１８０°折り曲げたときに、凹ませたライナー部分に座屈が発生して皺が生じる。しかし、上記の構成によると、第１罫線ロールの回転に伴って通過する段ボール板に加える予備罫線圧を適度に弱めることにより、罫線の周りのライナーが罫線に垂直な方向へ緩やかに凹むので、段ボール板を罫線に沿って１８０°折り曲げたときに、角部のライナーが座屈せず、皺が発生しない。
【００１３】
第３の発明では、第２の発明の段ボール箱の製造方法において、
上記第１罫線ロールは、
外周端に設けた主押圧部と、
該主押圧部の両側にそれぞれ形成された断面が半円形状の予備押圧部とを有する構成とする。
【００１４】
上記の構成によると、主押圧部によって罫線を形成するのと同時に、半円形状の滑らかな形状の予備押圧部により、罫線の周囲を緩やかに凹ませることができるので、加工工程を増すことなく皺の発生が防止される。
【００１５】
第４の発明では、第２の発明の段ボール箱の製造方法において、
上記第１罫線ロールは、
外周端に設けた主押圧部と、
該主押圧部の両側にそれぞれ形成された断面が上記第２罫線ロールから離れるにつれて外側へ徐々に広がる階段状の予備押圧部とを有する。
【００１６】
上記の構成によると、主押圧部によって罫線を形成するのと同時に、階段状の予備押圧部により、罫線の周囲を緩やかに凹ませることができるので、加工工程を増すことなく皺の発生が防止される。
【００１７】
第５の発明では、第２の発明の段ボール箱の製造方法において、
上記第１罫線ロールは、
外周端に設けた主押圧部と、
該主押圧部の両側にそれぞれ形成された断面が上記第２罫線ロールから離れるにつれて外側へ徐々に広がるテーパー状の予備押圧部とを有する。
【００１８】
上記の構成によると、主押圧部によって罫線を形成するのと同時に、テーパー状の予備押圧部により、罫線の周囲を緩やかに凹ませることができるので、加工工程を増すことなく皺の発生が防止される。
【００１９】
第６の発明では、第１乃至第５の発明の段ボール箱の製造方法において、
上記予備押圧部は、コルクで形成されたものとする。
【００２０】
上記の構成によると、安価で柔らかく、軽量な材料により、段ボール箱に傷を加えることなく罫線入れ加工が行われる。
【００２１】
第７の発明では、第１乃至第５の発明の段ボール箱の製造方法において、
上記予備押圧部は、ゴムで形成されたものとする。
【００２２】
上記の構成によると、安価で柔らかい材料により、段ボール箱に傷を加えることなく罫線入れ加工が行われる。
【００２３】
第８の発明では、第１乃至第７の発明の段ボール箱の製造方法において、
上記段ボール板を裁断する工程と、
上記段ボール箱のフラップ部の溝を切り、接合部の継ぎしろの角を切る工程と、
抜型で打ち抜く工程と、
上記段ボール板の表面に装飾を印刷する工程とを含む構成とする。
【００２４】
上記の構成によると、段ボール箱の一連の組立作業が効率よく行われる。特に、これらの工程を１つの機械で行うと効率がよい。
【００２５】
第９の発明では、平板状の段ボール板を加工して段ボール箱を製造する段ボール箱製造装置を前提とし、
上記段ボール箱製造装置は、
第１罫線ロールと、
上記第１罫線ロールの上下の対向する位置に配置された第２罫線ロールとを備え、
上記第１罫線ロールと第２罫線ロールとの間に上記段ボール板を通過させ、該第２罫線ロールによって支持しながら第１罫線ロールによって上記段ボール板に罫線圧を加えて折り曲げ用の罫線を形成するように構成され、
上記第１罫線ロールは、
外周端に設けられ、主罫線圧を加えて上記罫線を形成する主押圧部と、
該主押圧部の両側にそれぞれ形成され、上記罫線の両側に該罫線に加える主罫線圧よりも小さい予備罫線圧を同時に加える予備押圧部とを有する構成とする。
【００２６】
すなわち、細い罫線のみが形成された場合、段ボール板を罫線に沿って１８０°折り曲げたときに角部となる段ボール板のライナー同士が互いに接触して皺が発生し易い。しかし、上記の構成によると、主罫線圧により段ボール板に罫線が形成されると共に、この罫線の両側が予備罫線圧によって凹むので、段ボール板を罫線に沿って１８０°折り曲げたときに角部のライナー同士の接触が防止され、皺が発生することはない。
【００２７】
第１０の発明では、第９の発明の段ボール箱製造装置において、
上記予備罫線圧は、上記罫線に垂直な方向へ該罫線から遠ざかるほど罫線圧が小さくなるように加えられる。
【００２８】
すなわち、罫線の周囲を凹ませすぎると、今度は、段ボール板を罫線に沿って１８０°折り曲げたときに、凹ませたライナー部分に座屈が発生して皺が生じる。しかし、上記の構成によると、第１罫線ロールの回転に伴って通過する段ボール板に加える予備罫線圧を適度に弱めることにより、罫線の周りのライナーが罫線に垂直な方向へ緩やかに凹むので、段ボール板を罫線に沿って１８０°折り曲げたときに、角部のライナーが座屈せず、皺が発生しない。
【００２９】
第１１の発明では、第９の発明の段ボール箱製造装置において、
上記第１罫線ロールは、
外周端に設けた主押圧部と、
該主押圧部の両側にそれぞれ形成された断面が半円形状の予備押圧部を有する構成とする。
【００３０】
上記の構成によると、主押圧部によって罫線を形成するのと同時に、半円形状の滑らかな形状の予備押圧部により、罫線の周囲を緩やかに凹ませることができるので、加工工程を増すことなく皺の発生が防止される。
【００３１】
第１２の発明では、第１１の発明の段ボール箱製造装置において、
上記第１罫線ロールは、
外周端に設けた主押圧部と、
該主押圧部の両側にそれぞれ形成された断面が上記第２罫線ロールから離れるにつれて外側へ徐々に広がる階段状の予備押圧部とを有する。
【００３２】
上記の構成によると、主押圧部によって罫線を形成するのと同時に、階段状の予備押圧部により、罫線の周囲を緩やかに凹ませることができるので、加工工程を増すことなく皺の発生が防止される。
【００３３】
第１３の発明では、第９の発明の段ボール箱製造装置において、
上記第１罫線ロールは、
外周端に設けた主押圧部と、
該主押圧部の両側にそれぞれ形成された断面が上記第２罫線ロールから離れるにつれて外側へ徐々に広がるテーパー状の予備押圧部とを有する構成とする。
【００３４】
上記の構成によると、主押圧部によって罫線を形成するのと同時に、テーパー面を有する予備押圧部により、罫線の周囲を緩やかに凹ませることができるので、加工工程を増すことなく皺の発生が防止される。
【００３５】
第１４の発明では、第９乃至第１３の発明の段ボール箱製造装置において、
上記予備押圧部は、コルクで形成されたものとする。
【００３６】
上記の構成によると、安価で柔らかく、軽量な材料により、段ボール箱に傷を加えることなく罫線入れ加工が行われる。
【００３７】
第１５の発明では、第９乃至第１３の発明の段ボール箱製造装置において、
上記予備押圧部は、ゴムで形成されたものとする。
【００３８】
上記の構成によると、安価で柔らかい材料により、段ボール箱に傷を加えることなく罫線入れ加工が行われる。
【発明の効果】
【００３９】
以上説明したように、上記第１の段ボール箱の製造方法の発明によれば、罫線入れ工程において、罫線の両側に罫線に加える主罫線圧よりも小さい予備罫線圧を同時に加え、段ボール板に罫線を形成するのと同時に罫線の両側を予備罫線圧によって凹ませて段ボール板を罫線に沿って１８０°折り曲げたときに角部となるライナー同士の接触を防止している。このため、皺の発生を効果的に防止し、罫線周辺での折り曲げ不良を防いで見映えのよい商品性の高い段ボール箱を製造することができる。
【００４０】
上記第９の段ボール箱製造装置の発明によれば、罫線を入れる際に、罫線の両側に罫線に加える主罫線圧よりも小さい予備罫線圧を同時に加え、段ボール板に罫線を形成するのと同時に罫線の両側を予備罫線圧によって凹ませて段ボール板を罫線に沿って１８０°折り曲げたときに角部のライナー同士の接触を防止している。このため、皺の発生を効果的に防止し、罫線周辺での折り曲げ不良を防いで見映えのよい商品性の高い段ボール箱を製造する段ボール箱製造装置が得られる。
【００４１】
上記第２及び第１０の発明によれば、罫線から遠ざかるほど罫線圧が小さくなるように予備罫線圧を加え、罫線の周りを緩やかに凹ませている。このため、段ボール板を罫線に沿って１８０°折り曲げたときに、角部のライナーの皺の発生が効果的に防止されるので、更に見映えのよい商品性の高い段ボール箱を製造することができる。
【００４２】
上記第３及び第１１の発明によれば、罫線を形成するのと同時に、半円形状の滑らかな形状の予備押圧部により罫線の周囲を緩やかに凹ませている。このため、加工工程を増すことなく皺の発生を防止することができるので、効率的に見映えのよい段ボール箱を製造することができる。
【００４３】
上記第４及び第１２の発明によれば、罫線を形成するのと同時に、階段状の予備押圧部により罫線の周囲を緩やかに凹ませている。このため、加工工程を増すことなく皺の発生を防止することができるので、効率的に見映えのよい段ボール箱を製造することができる。
【００４４】
上記第５及び第１３の発明によれば、罫線を形成するのと同時に、テーパー状の予備押圧部により罫線の周囲を緩やかに凹ませている。このため、加工工程を増すことなく皺の発生を防止することができるので、効率的に見映えのよい段ボール箱を製造することができる。
【００４５】
上記第６及び第１４の発明によれば、予備押圧部をコルクで形成したことにより、低コストで見映えのよい段ボール箱を形成することができる。
【００４６】
上記第７及び第１５の発明によれば、予備押圧部をゴムで形成したことにより、低コストで見映えのよい段ボール箱を形成することができる。
【００４７】
上記第８の発明によれば、段ボール箱の一連の組立作業を行うことにより、効率よく見映えのよい段ボール箱を製造することができる。
【発明を実施するための最良の形態】
【００４８】
以下本発明の実施形態を図面に基づいて説明する。
【００４９】
−段ボール製造装置の構成−
図２に本発明の実施形態にかかる段ボール箱の製造方法の成形過程を示す。まず、段ボール製造装置について説明する。この段ボール製造装置（全体は図示せず）は、所定の大きさに切断された段ボール板１が通過するスロット部２を備え、このスロット部２には、上下の対向する位置に第１罫線ロール３と、第２罫線ロール４とが複数対（本実施形態では、３対）配置されている。通常、第１罫線ロール３と第２罫線ロール４とは、同じ回転速度で互いに反対回りに回転され、これら第１罫線ロール３と第２罫線ロール４との間に段ボール板１が通過して罫線１０が形成され、段ボール板１の折り曲げ位置が決められる。なお、段ボール製造装置は、複数の加工工程を１つの機械で自動的に搬送しながら行うように構成されている。また、段ボール板１は、紙製はもちろんのこと、プラスチック製のものでもよい。
【００５０】
図１に拡大して示すように、第１罫線ロール３は、スロット部２の上側に配置された金属製の円盤状のもので、その外周端には、段ボール板１に罫線圧を加えて折り曲げ用の罫線１０を形成する主押圧部５が突出するように設けられている。この主押圧部５の両側にそれぞれ断面が半円形状の予備押圧部６が左右対称に形成されている。この予備押圧部６は、必ずしも左右対称でなくてもよい。予備押圧部６は、コルクで形成されたリング状のものが第１罫線ロール３の外周端の両面に接着、ビス止め等により取り付けられることで形成されている。
【００５１】
第２罫線ロール４は、第１罫線ロール３の真下に配置され、外周端に段ボール板１を支持するための平坦な支持面７を有した金属製の円盤状のものよりなる。
【００５２】
スロット部２から排出された段ボール板１は、図示しない搬送手段により搬送され、折り曲げ、印刷等の後工程を行うように構成されている。
【００５３】
−段ボール箱の製造方法−
次に、本発明の実施形態にかかる段ボール箱の製造方法について説明する。
【００５４】
本実施形態の段ボール箱の製造方法では、まず、断裁工程において、段ボール板１を必要な長さ、幅に切断する。なお、予め切断された段ボール板１を納入してもよい。
【００５５】
次いで、図２に示すように、罫線入れ工程において、段ボール板１に折り曲げ用の罫線１０を入れる。すなわち、上下の対向する位置に設けた第１罫線ロール３と、第２罫線ロール４との間に段ボール板１を通過させ、該第２罫線ロール４によって支持しながら第１罫線ロール３によって段ボール板１に罫線圧を加えて折り曲げ用の罫線１０を形成する（罫線引き工程）。この工程において、罫線１０の両側に該罫線１０に加える主罫線圧よりも小さい予備罫線圧を同時に加える。つまり、主押圧部５によって主罫線圧を加えて罫線１０を形成するのと同時に、半円形状の滑らかな形状の予備押圧部６により、予備罫線圧を加えて罫線１０の周囲を緩やかに凹ませる（図７参照）。予備押圧部６の形状により、予備罫線圧は、罫線１０に垂直な方向へ罫線１０から遠ざかるほど小さくなるように加えられる。このとき、予備押圧部６を安価で柔らかく軽量なコルクで形成しているので、段ボール板１に傷を加えることなく罫線入れ加工が行われる。
【００５６】
次いで、印刷工程において、印刷を行って段ボール板１を装飾する。
【００５７】
次いで、溝切り工程において、段ボール板１のフラップ部分の溝を切り、接合部の継ぎしろの角を切る。
【００５８】
次いで、型抜き工程において、抜型で段ボール板１の型を打ち抜く。
【００５９】
最後に、曲げ工程において、罫線１０に沿って上記段ボール板１を１８０°折り曲げる（曲げ工程）。
【００６０】
この段ボール板１を１８０°折り曲げた状態で積み上げて搬送したり、接合部を接合して段ボール箱に仕上げたりする。このように、段ボール箱の一連の組立作業が効率よく行われる。組立作業は必ずしもまとめて行う必要はないが、特に、これらの工程を１つの機械で行うと効率がよい。罫線入れ工程の後工程では、少なくとも曲げ工程を含んでいればよく、印刷工程、溝切り工程、型抜き工程は、含んでいなくてもよい。
【００６１】
−予備押圧部の形状による比較−
次に、上記罫線入れ工程及び曲げ工程について、異なる予備押圧部６の形状を有する比較例１、２と本実施形態にかかる実施例とを比較しながら詳しく説明する。なお、段ボール板１は、平坦な内側ライナー１１、外側ライナー１２、これらの間の波形の中芯１３よりなるものとし、曲げ工程において、罫線１０に沿って上記段ボール板１を略１８０°折り曲げ、積み重ねて搬送等を行うようなケースを考える。
【００６２】
（比較例１）図３は、比較例１としての従来の主押圧部１０５のみを有する第１罫線ロール１０３及び第２罫線ロール１０４の断面図を示す。比較例１の第１罫線ロール１０３の外周端の主押圧部１０５は、先端が若干丸められただけで全体として尖った三角形状を有している。すなわち、上記実施形態とは、予備押圧部６がない点で異なる。
【００６３】
図４に、この比較例１の曲げ工程における過程を（ａ）、（ｂ）、（ｃ）及び（ｄ）の順に示す。図４（ａ）に罫線入れ工程後の段ボール板１の断面図を示す。このように、罫線１０の中央は窪み、その両端に傾斜が発生し、傾斜部１４と平坦部１５との境に境界部１６ができている。罫線１０を中心に内側ライナー１１の表面は、三角形状に凹んでいる。
【００６４】
図４（ｂ）に示すように、罫線１０に沿って段ボール板１を折り曲げる。
【００６５】
すると、図４（ｃ）に示すように、段ボール板１を折り曲げ終える以前に境界部１６が接触し、この接触した点を境にてこの原理により、内側ライナー１１に曲げ応力がかかり、折れ曲がって内側ライナー１１及び外側ライナー１２に皺１７が発生する。
【００６６】
次いで、図４（ｄ）に示すように、段ボール板１を１８０°折り曲げると、境界部に座屈が発生して内側ライナー１１が潰れる。この潰れにより、直線的でなく不均一な曲線皺１８が発生する。このため段ボール板１を組立てて箱状にして製品を梱包しても曲線皺１８が残った状態になり、また、段ボールに印刷された図や文字がこの皺１８の中に含まれると見映えが悪くなる。
【００６７】
このように、比較例１においては、皺１７，１８や座屈の発生が起こり易い上、この皺１７，１８等の発生により、糊付け位置のズレも起こり易い。このため、段ボール箱の見映えが悪くなる。
【００６８】
（比較例２）図５は、比較例２として、第１罫線ロール２０３の断面形状を台形形状としたものを示す。中央に罫線１０を形成する主押圧部２０５を設け、その両側に台形状の予備押圧部２０６を設ける。この予備押圧部２０６の底面は平坦に形成され、側面のみが上記実施形態の予備押圧部６のように、第２罫線ロール２０４から離れるにつれて外側へ徐々に広がるテーパー状となっている。第１罫線ロール２０３の両側に幅広く罫線圧を加えたものである。図６において、この比較例２の曲げ工程における過程を（ａ）、（ｂ）、（ｃ）及び（ｄ）の順に示している。
【００６９】
図６（ａ）に罫線入れ工程後の段ボール板１の断面図を示す。このように、罫線１０の中央は窪み、その両側も平坦に幅広く撓んでいる。平坦に凹んだ部分の両側の傾斜部１４と平坦部１５との境に境界部１６ができている。罫線１０を中心に内側ライナー１１の表面は、台形状に凹んでいる。
【００７０】
図６（ｂ）に示すように、罫線１０に沿って段ボール板１を折り曲げる。すると、比較例１よりも手前で内側ライナー１１が凹み始める。
【００７１】
図６（ｃ）に示すように、比較例２においても、段ボール板１を折り曲げ終える以前に境界部１６が接触し、この接触した点を境にてこの原理により、内側ライナー１１に曲げ応力がかかり、折れ曲がって皺１７が発生する。
【００７２】
次いで、図６（ｄ）に示すように、段ボール板１を１８０°折り曲げると、境界部１６に座屈が発生して内側ライナー１１が潰れている。この潰れにより、直線的でなく不均一な皺１８が発生する。このように、罫線１０の周囲を大きく凹ませすぎると、今度は、段ボール板１を罫線１０に沿って折り曲げたときに、凹ませた内側ライナー１１部分に座屈が発生して皺１７，１８が生じる。すなわち、予備押圧部２０６によって形成させた凹部の幅が大きすぎると、皺１８を防ぐ効果がなくなるということがわかる。
【００７３】
（実施例）次いで、本実施形態にかかる第１罫線ロール３及び第２罫線ロール４を使用した実施例を示す。
【００７４】
図７に本実施例の曲げ工程における過程を（ａ）、（ｂ）、（ｃ）及び（ｄ）の順に示している。
【００７５】
図７（ａ）は、罫線入れ加工をした直後の状況を示す。比較例１の境界部１６に比べ罫線圧が加わった部分の幅が広いため、罫線１０を中心に両側になだらかな傾斜部１４ができ、傾斜部１４と平坦部１５の境の境界部１６は、目立たない上、比較例１に比べ罫線から遠くに離れている。逆に比較例２に比べると、隣合う境界部１６間の間隔は狭くなっている。
【００７６】
図７（ｂ）に段ボール板１を曲げ始めた状態を示す。図７（ｃ）に段ボール板１を１８０°手前まで曲げ、傾斜部１４が平行になった状態を示す。このとき、比較例１及び２のように点接触ではなく面接触であるため、てこの部分が生じず、内側ライナー１１に曲げ応力がかからない。
【００７７】
図７（ｃ）に段ボール板１を１８０°曲げる直前の状態を示す。図７（ｄ）に１８０°曲げ終わった状態を示す。比較例１及び２のように皺１７，１８は発生しないことがわかる。
【００７８】
このように、主罫線圧により段ボール板１に罫線１０が形成されると共に、この罫線１０の両側が予備罫線圧によって凹むので、段ボール板１を罫線１０に沿って折り曲げたときに角部の内側ライナー１１同士の接触が防止され、皺１７，１８が発生することはなく、糊付け位置のズレも起こりにくい。
【００７９】
−実施形態の効果−
したがって、本実施形態にかかるによる段ボール箱を製造する方法及び段ボール箱製造装置によると、罫線入れ工程において、罫線１０の両側に罫線１０に加える主罫線圧よりも小さい予備罫線圧を同時に加え、段ボール板１に罫線１０を形成するのと同時に半円形状の滑らかな形状の予備押圧部６により、罫線１０の両側を予備罫線圧によって凹ませて段ボール板１を罫線１０に沿って折り曲げたときに角部の内側ライナー１１同士の接触を防止している。このため、加工工程を増すことなく皺１７，１８の発生を効果的に防止し、罫線１０周辺での折り曲げ不良を防いで見映えのよい商品性の高い段ボール箱を製造することができる。
【００８０】
また、罫線１０から遠ざかるほど罫線圧が小さくなるように予備罫線圧を加え、罫線１０の周りを緩やかに凹ませている。このため、段ボール板１を罫線１０に沿って１８０°折り曲げたときに、角部の内側ライナー１１の皺の発生が効果的に防止されるので、更に見映えのよい商品性の高い段ボール箱を製造することができる。
【００８１】
また、予備押圧部６をコルクで形成したことにより、低コストで見映えのよい段ボール箱を形成することができる。
【００８２】
段ボール箱の一連の組立作業を行うことにより、効率よく見映えのよい段ボール箱を製造することができる。
【００８３】
（その他の実施形態）
本発明は、上記実施形態について、以下のような構成としてもよい。
【００８４】
すなわち、上記実施形態では、第１罫線ロール３の主押圧部５の両側に断面が半円形状の予備押圧部６をそれぞれ形成したが、図８に示すように、第１罫線ロール３の主押圧部５の両側に断面が第２罫線ロール４から離れるにつれて外側へ徐々に広がる階段状の予備押圧部３０６をそれぞれ形成してもよい。このことで、主押圧部５によって罫線１０を形成するのと同時に、階段状の予備押圧部３０６により、罫線１０の周囲を緩やかに凹ませることができるので、加工工程を増すことなく皺１７，１８の発生が防止される。
【００８５】
また、図９に示すように主押圧部５の両側に断面が第２罫線ロール４から離れるにつれて外側へ徐々に広がるテーパー状の予備押圧部４０６をそれぞれ形成してもよい。このことで、主押圧部５によって罫線１０を形成するのと同時に、テーパー状の予備押圧部４０６により、罫線１０の周囲を緩やかに凹ませることができるので、加工工程を増すことなく皺１７，１８の発生が防止される。いずれの場合も、効率的に見映えのよい段ボール箱を製造することができる。
【００８６】
上記予備押圧部６は、コルクで形成したが、ゴムで形成してもよい。この場合にも、低コストで見映えのよい段ボール箱を形成することができる。
【００８７】
なお、以上の実施形態は、本質的に好ましい例示であって、本発明、その適用物や用途の範囲を制限することを意図するものではない。
【図面の簡単な説明】
【００８８】
【図１】本発明の実施形態にかかる第１及び第２罫線ロールの断面図を示す。
【図２】本発明の実施形態にかかる段ボール製造装置のスロット部と段ボール成形過程を示す斜視図である。
【図３】比較例１にかかる図１相当図である。
【図４】比較例１の曲げ工程における過程を（ａ）、（ｂ）、（ｃ）及び（ｄ）の順に示す断面図である。
【図５】比較例２にかかる図１相当図である。
【図６】比較例２の曲げ工程における過程を（ａ）、（ｂ）、（ｃ）及び（ｄ）の順に示す断面図である。
【図７】実施例の曲げ工程における過程を（ａ）、（ｂ）、（ｃ）及び（ｄ）の順に示す断面図である。
【図８】その他の実施形態にかかる図１相当図である。
【図９】その他の実施形態にかかる図１相当図である。
【符号の説明】
【００８９】
１      段ボール板
２      スロット部
３      第１罫線ロール
４      第２罫線ロール
５      主押圧部
６，３０６，４０６      予備押圧部
１０      罫線
【図１】
2008207343.tif 000003
【図２】
2008207343.tif 000004
【図３】
2008207343.tif 000005
【図４】
2008207343.tif 000006
【図５】
2008207343.tif 000007
【図６】
2008207343.tif 000008
【図７】
2008207343.tif 000009
【図８】
2008207343.tif 000010
【図９】
2008207343.tif 000011